(57)【特許請求の範囲】
【請求項１】
光源モジュールと、
前記光源モジュールに電力を供給する電源ユニットと、
前記光源モジュールと前記電源ユニットとを接続するケーブルと、
前記光源モジュールが取り付けられる板金と、
前記電源ユニットと前記板金とが取り付けられる筐体と
を備え、
前記光源モジュールは、
プリント基板と、複数の光源と、コネクタとを備え、
前記プリント基板は、
長手方向に延びる本体部と、
前記本体部へ配列され、前記光源が配置される複数の光源配置部と、
前記本体部へ配置され、前記コネクタが配置されるコネクタ配置部と
を備え、
前記本体部は、配列された前記複数の光源配置部によって規定される光源領域を有し、
前記光源領域は、内側境界線と、前記内側境界線よりも長い外側境界線と、前記内側境界線および前記外側境界線を結ぶ側部境界線とによって規定されており、
前記コネクタ配置部は、前記外側境界線よりも外側であって前記長手方向の端部近傍に配置され、
前記板金と前記筐体との間に隙間を有し、
前記ケーブルは、前記電源ユニットから前記隙間を通り前記コネクタに接続される、照明器具。
【請求項２】
前記光源領域の端部は円弧状である、請求項１に記載の照明器具。
【請求項３】
前記光源領域は円弧状である、請求項１または請求項２に記載の照明器具。
【請求項４】
前記本体部は前記長手方向の端部に切欠部を有する、請求項１から請求項３のいずれか１項に記載の照明器具。
【請求項５】
前記コネクタ配置部は、前記コネクタ配置部に配置される前記コネクタの接続端子が前記切欠部に対向するように構成される、請求項４に記載の照明器具。
【請求項６】
前記ケーブルは、前記プリント基板の前記切欠部を通って前記コネクタに接続される、請求項４または５に記載の照明器具。
【請求項７】
前記複数の光源配置部は等間隔に配置される、請求項１から請求項６のいずれか１項に記載の照明器具。
【請求項８】
前記コネクタ配置部は、前記光源領域のうち最端部の光源配置部よりも内側の領域に隣接して配置される、請求項１から請求項７のいずれか１項に記載の照明器具。
【請求項９】
前記複数の光源配置部を電気的に接続する、または、前記コネクタ配置部と前記複数の光源配置部のうち少なくとも１つの光源配置部とを電気的に接続する配線部をさらに備え、
前記本体部は内周と外周とを有し、
前記コネクタ配置部は、第１コネクタ配置部と第２コネクタ配置部とを有し、
前記複数の光源配置部は、第１光源配置部群と第２光源配置部群とを有し、
前記配線部は第１分岐配線と第２分岐配線とを有し、
前記第１コネクタ配置部は、前記第１分岐配線を介して前記第２光源配置部群に接続され、
前記第２コネクタ配置部は、前記第２分岐配線を介して前記第１光源配置部群に接続され、
前記第１分岐配線および前記第２分岐配線は、前記本体部において前記光源配置部の内周側に配置される、請求項１から請求項８のいずれか１項に記載の照明器具。
【請求項１０】
前記本体部は、前記長手方向の端部に凸部と前記凸部に対応する凹部とをさらに有し、
前記コネクタ配置部は前記凸部に配置される、請求項１から請求項９のいずれか１項に記載の照明器具。
【請求項１１】
前記光源モジュールは複数であり、
前記複数の光源モジュールは前記コネクタを介して接続される、請求項１から請求項１０のいずれか１項に記載の照明器具。
【発明の詳細な説明】
【技術分野】
【０００１】
本発明は、プリント基板、光源モジュールおよび照明器具に関する。
【背景技術】
【０００２】
天井に取り付ける照明器具（シーリングライト）の光源として、複数のＬＥＤを用いた照明器具が知られている。特許文献１に記載の照明器具は、複数のＬＥＤを実装した複数の基板を備える。それぞれの基板にはＬＥＤが内周と外周の２列に配列されている。複数の基板は、最外周のＬＥＤと最内周のＬＥＤとの間に位置するコネクタ（配線接続部）を介して接続される。
【先行技術文献】
【特許文献】
【０００３】
【特許文献１】特開２０１３−５８５０３号公報
【発明の概要】
【発明が解決しようとする課題】
【０００４】
しかしながら、特許文献１に記載の照明器具では、コネクタが最外周のＬＥＤと最内周のＬＥＤとの間の狭い領域に位置するため、光源とケーブル（リード線）との距離を十分に確保できなかった。その結果、コネクタに接続されるケーブルの影が発生する可能性があった。
【０００５】
本発明は上記課題に鑑みてなされたものであり、その目的はコネクタ配置部に配置されたコネクタに接続されるケーブルによる影の発生を抑制することができるプリント基板、光源モジュールおよび照明器具を提供することにある。
【課題を解決するための手段】
【０００６】
本願に開示する照明器具は、光源モジュールと、電源ユニットと、ケーブルと、板金と、筐体とを備える。前記電源ユニットは、前記光源モジュールに電力を供給する。前記ケーブルは、前記光源モジュールと前記電源ユニットとを接続する。前記板金には、前記光源モジュールが取り付けられる。前記筐体には、前記電源ユニットと前記板金が取り付けられる。前記光源モジュールは、プリント基板と、複数の光源と、コネクタとを備える。前記プリント基板は、本体部と、複数の光源配置部と、コネクタ配置部とを備える。前記本体部は、長手方向に延びる。前記複数の光源配置部は、前記本体部へ配列され、前記光源が配置される。前記コネクタ配置部は、前記本体部へ配置され、前記コネクタが配置される。前記本体部は、配列された前記複数の光源配置部によって規定される光源領域を有する。前記光源領域は、内側境界線と、前記内側境界線よりも長い外側境界線と、前記内側境界線および前記外側境界線を結ぶ側部境界線とによって規定されている。前記コネクタ配置部は、前記外側境界線よりも外側であって前記長手方向の端部近傍に配置される。前記板金と前記筐体との間に隙間を有する。前記ケーブルは、前記電源ユニットから前記隙間を通り前記コネクタに接続される。
【０００７】
本願に開示する照明器具において、前記光源領域の端部は円弧状であることが好ましい。
【０００８】
本願に開示する照明器具において、前記光源領域は円弧状であることが好ましい。
【０００９】
本願に開示する照明器具において、前記本体部は前記長手方向の端部に切欠部を有することが好ましい。
【００１０】
本願に開示する照明器具において、前記コネクタ配置部は、前記コネクタ配置部に配置される前記コネクタの接続端子が前記切欠部に対向するように構成されることが好ましい。
本願に開示する照明器具において、前記ケーブルは、前記プリント基板の前記切欠部を通って前記コネクタに接続されることが好ましい。
【００１１】
本願に開示する照明器具において、前記複数の光源配置部は等間隔に配置されることが好ましい。
【００１２】
本願に開示する照明器具において、前記コネクタ配置部は、前記光源領域のうち最端部の光源配置部よりも内側の領域に隣接して配置されることが好ましい。
【００１３】
本願に開示する照明器具において、前記複数の光源配置部を電気的に接続する、または、前記コネクタ配置部と前記複数の光源配置部のうち少なくとも１つの光源配置部とを電気的に接続する配線部をさらに備えることが好ましい。前記本体部は内周と外周とを有することが好ましい。前記コネクタ配置部は、第１コネクタ配置部と第２コネクタ配置部とを有することが好ましい。前記複数の光源配置部は、第１光源配置部群と第２光源配置部群とを有することが好ましい。前記配線部は第１分岐配線と第２分岐配線とを有することが好ましい。前記第１コネクタ配置部は、前記第１分岐配線を介して前記第２光源配置部群に接続されることが好ましい。前記第２コネクタ配置部は、前記第２分岐配線を介して前記第１光源配置部群に接続されることが好ましい。前記第１分岐配線および前記第２分岐配線は、前記本体部において前記光源配置部の内周側に配置されることが好ましい。
【００１４】
本願に開示する照明器具において、前記本体部は、前記長手方向の端部に凸部と前記凸部に対応する凹部とをさらに有することが好ましい。前記コネクタ配置部は前記凸部に配置されることが好ましい。
【００１９】
本願に開示する照明器具において、前記光源モジュールは複数であることが好ましい。前記複数の光源モジュールは前記コネクタを介して接続されることが好ましい。
【発明の効果】
【００２０】
本発明によれば、ケーブルによる影の発生を抑制することができる。
【図面の簡単な説明】
【００２１】
【図１】本発明の実施形態に係る照明器具を示す模式的な側面図である。
【図２】本発明の実施形態に係る照明器具の器具本体の模式的な下面図である。
【図３】（ａ）は、光源モジュールのコネクタ周辺の拡大断面図である。（ｂ）は、光源モジュールのコネクタ周辺の拡大斜視図である。
【図４】本発明の実施形態に係るプリント基板を示す模式図である。
【図５】（ａ）は、本発明の実施形態に係るプリント基板を示す模式図である。（ｂ）は、本発明の実施形態に係るプリント基板の第１コネクタ配置部周辺を示す模式図である。（ｃ）は、本発明の実施形態に係るプリント基板の第２コネクタ配置部周辺を示す模式図である。
【図６】本発明の他の実施形態に係るプリント基板を示す模式図である。
【図７】本発明の他の実施形態に係る光源モジュールを示す模式図である。
【図８】本発明の他の実施形態に係るプリント基板を示す模式図である。
【発明を実施するための形態】
【００２２】
以下、本発明の実施形態について、図面を参照しながら説明する。なお、図中、同一または相当部分については同一の参照符号を付して説明を繰り返さない。
【００２３】
図１および図２を参照して、本発明の実施形態に係る照明器具１００について説明する。図１は、本発明の実施形態に係る照明器具１００を示す模式的な側面図である。図２は、本発明の実施形態に係る照明器具１００の器具本体１０の模式的な下面図である。なお、図２は、細部の構成を明瞭に図示するために、照明器具１００のうち要部のみ図示した。図３（ａ）は、光源モジュール２０ａのコネクタ４１ａ周辺の拡大断面図である。図３（ｂ）は、光源モジュール２０ａのコネクタ４１ａの周辺の拡大斜視図である。
【００２４】
照明器具１００は、例えば、天井に取り付けられるシーリングライトである。照明器具１００は、例えば円盤状である。照明器具１００は、器具本体１０とセード９０とを有する。セード９０は、器具本体１０の照射面側を覆うように取り付けられる。
【００２５】
図２を参照して、器具本体１０について説明する。器具本体１０は、複数の光源モジュール２０（光源モジュール２０ａ〜２０ｆ）と、電源ユニット収納部９２と、電源ユニット９３と、筐体９７と、電源ケーブル９４と、複数のコネクタケーブル９６、板金９９とを有する。
【００２６】
筐体９７には、照明器具１００を天井に取り付けるための取付部品が装着される取付穴９８が形成されている。板金９９は、筐体９７に取り付けられる。板金９９は、例えば、放熱板である。板金９９には、複数の光源モジュール２０が所定の間隔をおいて取り付けられる。筐体９７は、複数の光源モジュール２０と、電源ユニット収納部９２とを支持する。筐体９７と板金９９との間には、隙間９５（図３（ａ）および図３（ｂ）参照）が形成される。
【００２７】
本実施形態において、複数の光源モジュール２０は、長手方向Ｄに延びる６枚の円弧状の光源モジュールである。６枚の光源モジュール２０は、板金９９上に円環状に並べて配置される。６枚の光源モジュール２０ａ〜２０ｆは同様の構成を有する。
【００２８】
光源モジュール２０ａは、プリント基板２１と、複数の光源３１と、複数のコネクタ４１（コネクタ４１ａおよび４１ｂ）とを備える。光源３１は、例えば、ＬＥＤである。複数の光源３１は、プリント基板２１の複数の光源配置部に配置される。複数のコネクタ４１は、プリント基板２１のコネクタ配置部に配置される。プリント基板２１、光源配置部およびコネクタ配置部については、図４を参照して後述する。６枚の光源モジュール２０ａ〜２０ｆは同様の構成を有する。
【００２９】
電源ユニット収納部９２には、電源ユニット９３が収納される。電源ユニット９３は、光源３１に電力を供給する。電源ケーブル９４は、光源モジュール２０と電源ユニット９３とを接続する。電源ケーブル９４は、２本の電源ケーブルが含まれ、一方の電源ケーブルは電源ユニット９３と光源モジュール２０ａのコネクタ４１ａとに接続され、他方の電源ケーブルは電源ユニット９３と光源モジュール２０ｆのコネクタ４１ｂとに接続される。図３（ａ）および図３（ｂ）に示すように、電源ユニット９３から引き出された電源ケーブル９４は、筐体９７と板金９９との隙間９５、すなわちプリント基板２１の裏側を通り、板金９９の孔（不図示）を通り、切欠部７１を通って、光源モジュール２０ａのコネクタ４１ａおよび光源モジュール２０ｆのコネクタ４１ｂに接続される。電源ケーブル９４を介して、光源３１に電力が供給される。電源ケーブル９４は、プリント基板２１の裏側を通りコネクタ４１ａおよびコネクタ４１ｂに接続されるため、プリント基板２１の表側に現れるケーブルの量を比較的少なくすることができる。その結果、電源ケーブル９４の影の発生を抑制することができる。
【００３０】
光源モジュール２０ａのコネクタ４１ｂと、光源モジュール２０ｂのコネクタ４１ａとはコネクタケーブル９６を介して接続される。したがって、コネクタケーブル９６を介して光源モジュール２０ｂの光源３１に電力が供給される。同様に光源モジュール２０ｃ〜２０ｆについても隣接するコネクタ４１同士がコネクタケーブル９６を介して接続される。したがって、電源ユニット９３から電源ケーブル９４を介して供給された電力は、全ての光源３１に供給される。その結果、全ての光源３１が点灯する。
【００３１】
図１〜図４を参照して本発明の実施形態に係るプリント基板２１について説明する。図４は、本発明の実施形態に係るプリント基板２１を示す模式図である。プリント基板２１は、本体部２２と、複数の光源配置部３２（光源配置部３２ａ〜３２ｎ）と、２つのコネクタ配置部４２（第１コネクタ配置部４２ａおよび第２コネクタ配置部４２ｂ）と、配線部と、複数のジャンパー５２（ジャンパー５２ａ〜５２ｅ）とを備える。配線部については、図５を参照して後述する。プリント基板２１は、素子が搭載可能な実装層と、配線部を含む配線層とを有する。複数の光源配置部３２、コネクタ配置部４２および複数のジャンパー５２は本体部２２の実装層に配置される。
【００３２】
本体部２２は、長手方向Ｄに延びる円弧状である。本体部２２は、長手方向Ｄの外側端部に切欠部７１ａ、７１ｂを有する。本体部２２は、内周２２ｂと外周２２ａとを有する。本体部２２は、長手方向Ｄの端部に凸部７２ａおよび凸部７２ｂと、凸部７２ａおよび凸部７２ｂに対して径方向に対向する位置に凹部７３ａおよび凹部７３ｂとをさらに有する。
【００３３】
複数の光源配置部３２のそれぞれには、光源３１が配置される。複数の光源配置部３２は、長手方向Ｄに沿った方向に本体部２２に配置される。本実施形態では、複数の光源配置部３２は円弧状を呈するように並んで配置される。本体部２２は、複数の光源配置部３２によって規定される光源領域Ｓを有する。光源領域Ｓは、複数の光源配置部３２と、隣接する光源配置部３２との間の領域とを含む。本実施形態では、光源領域Ｓは、円弧状である。光源領域Ｓは、内側境界線ｓ１と、外側境界線ｓ２と、側部境界線ｓ３と、側部境界線ｓ４とによって規定される。内側境界線ｓ１は、複数の光源配置部３２の径方向最内周側の端部を結ぶことにより形成される仮想線であり、外側境界線ｓ２は、複数の光源配置部３２の径方向最外周側の端部を結ぶことにより形成される仮想線である。外側境界線ｓ２は、内側境界線ｓ１よりも長い。側部境界線ｓ３および側部境界線ｓ４のそれぞれは、内側境界線ｓ１および外側境界線ｓ２を結ぶ仮想線である。複数の光源配置部３２は、等間隔に配置されることが好ましい。複数の光源配置部３２を等間隔に配置することによって、照明器具１００の発光ムラを抑制することができる。
【００３４】
光源配置部３２は、入力端子部３３と出力端子部３４とを有する。入力端子部３３は、例えば、アノード端子部であり、出力端子部３４は、例えば、カソード端子部である。光源３１を光源配置部３２に搭載する際、入力端子部３３にＬＥＤのアノード端子を、出力端子部３４にＬＥＤのカソード端子を対応させるように光源３１を配置する。
【００３５】
光源配置部３２は、第１光源配置部群３２Ｇ１と、第２光源配置部群３２Ｇ２とを含む。第１光源配置部群３２Ｇ１は、光源配置部３２ａ〜３２ｇを含み、第２光源配置部群３２Ｇ２は、光源配置部３２ｈ〜３２ｎを含む。第１光源配置部群３２Ｇ１のそれぞれの光源配置部３２ａ〜３２ｇは、所定の間隔をおいて配列されている。第１光源配置部群３２Ｇ１に光源が配置された場合、隣接する光源の出力端子部３４と入力端子部３３とが配線部を介して電気的に接続され、第１光源配置部群３２Ｇ１は光源および配線部を介して電気的に直列に接続される。同様に、第２光源配置部群３２Ｇ２のそれぞれの光源配置部３２ｈ〜３２ｎは、所定の間隔をおいて配列されている。第２光源配置部群３２Ｇ２に光源が配置された場合、隣接する光源の出力端子部３４と入力端子部３３とが配線部を介して電気的に接続され、第２光源配置部群３２Ｇ２は光源および配線部を介して電気的に直列に接続される。また、第１光源配置部群３２Ｇ１と、第２光源配置部群３２Ｇ２とは、配線部を介して電気的に並列に接続されている。第１光源配置部群３２Ｇ１は左側に配置されており、第２光源配置部群３２Ｇ２は右側に配置されている。
【００３６】
コネクタ配置部４２には、コネクタ４１が配置される。コネクタ配置部４２は、第１コネクタ配置部４２ａと第２コネクタ配置部４２ｂとを含む。コネクタ配置部４２は、光源領域Ｓの外側境界線ｓ２よりも外側であって長手方向Ｄの端部近傍に配置される。本実施形態では、コネクタ配置部４２は、長手方向Ｄの端部に配置される。コネクタ配置部４２を長手方向Ｄの端部に配置することによって、プリント基板２１の表側に現れるケーブルの量を比較的少なくすることができるため、コネクタ配置部４２を長手方向Ｄの端部に配置することが好ましい。コネクタ配置部４２は、複数の光源配置部３２のうち端部に配置される光源配置部３２ａ、３２ｎに対して長手方向Ｄに沿った方向から見て光源配置部配列線Ｌよりも径方向Ｒの外側に配置される。すなわち、光源配置部３２が配列される光源配置部配列線Ｌ上には、コネクタ配置部４２は配置されない。本実施形態では、径方向Ｒは、円弧状の光源領域Ｓによって形成される扇形の径方向である。光源配置部配列線Ｌは、配列された複数の光源配置部３２を通る線である。複数の光源モジュール２０が環状に配置される場合、コネクタ配置部４２は光源配置部３２よりも本体部２２の外周側に配置される。したがって、コネクタ配置部４２に配置されたコネクタ４１に接続されるケーブル（ハーネス）による影の発生を抑制することができる。また、コネクタ配置部４２は、凸部７２ａおよび凸部７２ｂに配置される。
【００３７】
コネクタ配置部４２は、コネクタ配置部４２に配置されるコネクタ４１の接続端子が切欠部７１に対向するように構成される。例えば、第１コネクタ配置部４２ａは、第１コネクタ配置部４２ａに配置されるコネクタ４１の接続端子が切欠部７１ａに対向するように構成され、第２コネクタ配置部４２ｂは、第２コネクタ配置部４２ｂに配置されるコネクタ４１の接続端子が切欠部７１ｂに対向するように構成される。したがって、切欠部７１から引き出された電源ケーブル９４を容易に接続することができる。
【００３８】
図１〜図４を参照して説明したように、プリント基板２１において、コネクタ配置部４２は、外側境界線ｓ２よりも外側であって長手方向Ｄの端部近傍に配置される。したがって、コネクタ配置部４２に配置されたコネクタ４１に接続されるケーブル（ハーネス）による影の発生を抑制することができる。
【００３９】
また、プリント基板２１において、本体部２２は長手方向Ｄの端部に切欠部７１を有する。したがって、ケーブルを切欠部７１からプリント基板２１の裏側に通すことができ、プリント基板２１の表側に現れるケーブルの量を比較的少なくすることができる。その結果、コネクタ配置部４２に配置されたコネクタ４１に接続されるケーブル（ハーネス）による影の発生を抑制することができる。
【００４０】
さらに、コネクタ４１に接続されるケーブルの大部分がプリント基板２１の裏側を通るため、プリント基板２１の表側にケーブルの配置領域をほとんど必要としない。このため、光源３１を長手方向Ｄの端部に寄せて配置することができる。その結果、複数枚のプリント基板２１を接続させる際、プリント基板２１の端部の光源３１と隣接するプリント基板２１の端部の光源３１との距離を短くすることができる。その結果、照明器具１００の全ての光源３１を等間隔に配置することができ、発光ムラを抑制することができる。
【００４１】
また、プリント基板２１において、本体部２２は長手方向Ｄの端部に凸部７２ａおよび７２ｂと、凸部７２ａおよび７２ｂに対して径方向に対向する位置に凹部７３ａおよび７３ｂとを有する。したがって、原基板から多くのプリント基板２１を切り出すことができる。
【００４２】
図２〜図５を参照して本発明の実施形態に係るプリント基板２１について説明する。図５（ａ）は、本発明の実施形態に係るプリント基板２１を示す模式図である。図５（ｂ）は、本発明の実施形態に係るプリント基板２１の第１コネクタ配置部４２ａ周辺を示す模式図である。図５（ｃ）は、本発明の実施形態に係るプリント基板２１の第２コネクタ配置部４２ｂ周辺を示す模式図である。図５（ａ）は、プリント基板２１の右側端部のうちの配線部より上を一部取り除いている。図５（ａ）〜図５（ｃ）には、配線部８０との配置関係がわかるように光源配置部３２およびコネクタ配置部４２を記載している。
【００４３】
配線部８０は、複数の光源配置部３２を電気的に接続する。または、配線部８０は、コネクタ配置部４２と光源配置部３２とを電気的に接続する。
【００４４】
図５（ｂ）を参照して、第１コネクタ配置部４２ａ周辺の配線について説明する。配線部８０は、第１分岐配線８１ａと、部分配線部８３ａ〜８３ｃと、アノード配線部８４ａとを有する。
【００４５】
第１コネクタ配置部４２ａは、アノード配線部８４ａを介して光源配置部３２ａの入力端子部３３と電気的に接続される。
【００４６】
部分配線部８３は、隣接する光源配置部３２の出力端子部３４と入力端子部３３とを電気的に直列に接続する。例えば、部分配線部８３ｃに着目した場合、光源配置部３２ｃの出力端子部３４ｃは、部分配線部８３ｃを介して光源配置部３２ｄの入力端子３３ｄと電気的に接続される。このように隣接する出力端子部３４と入力端子部３３とを部分配線部８３を介して電気的に接続することによって、第１光源配置部群３２Ｇ１は電気的に直列に接続される。
【００４７】
第１コネクタ配置部４２ａは、ジャンパー５２ｂを介して第１分岐配線８１ａに接続される。ジャンパー５２ｂは本体部２２の表面に配置されているため、部分配線部８３ｂとは短絡させることなく、第１コネクタ配置部４２ａは、第１分岐配線８１ａに接続される。第１分岐配線８１ａは、第２光源配置部群３２Ｇ２の光源配置部３２ｈ（図５（ａ）参照）の入力端子部３３に接続される。このように、第１コネクタ配置部４２ａは、第１分岐配線８１ａを介して第２光源配置部群３２Ｇ２に接続される。したがって、第１コネクタ配置部４２ａを第１光源配置部群３２Ｇ１と、第２光源配置部群３２Ｇ２とに並列に接続することができる。その結果、第１コネクタ配置部４２ａに印加された電力を第１光源配置部群３２Ｇ１と、第２光源配置部群３２Ｇ２とに印加することができる。
【００４８】
次に、図５（ｃ）を参照して、第２コネクタ配置部４２ｂの周辺に位置する配線について説明する。配線部８０は、第２分岐配線８２ａと、部分配線部８３ｋ〜８３ｍと、カソード配線部８４ｂとを有する。
【００４９】
第２コネクタ配置部４２ｂは、カソード配線部８４ｂを介して光源配置部３２ｎの出力端子部３４と電気的に接続される。
【００５０】
第１光源配置部群３２Ｇ１の光源配置部３２ｇ（図５（ａ）参照）の出力端子部３４は、ジャンパー５２ｃ（図５（ａ）参照）を介して第２分岐配線８２ａに接続される。第２分岐配線８２ａは、第２コネクタ配置部４２ｂに接続される。このように、第２コネクタ配置部４２ｂは、第２分岐配線８２ａを介して第１光源配置部群３２Ｇ１に接続される。したがって、第２コネクタ配置部４２ｂを第１光源配置部群３２Ｇ１と、第２光源配置部群３２Ｇ２とに並列に接続することができる。その結果、第１光源配置部群３２Ｇ１および第２光源配置部群３２Ｇ２から出力された電力を、第２コネクタ配置部４２ｂに印加することができる。
【００５１】
第１分岐配線８１ａおよび第２分岐配線８２ａは、本体部２２において光源配置部３２の内周側に配置される。本実施形態において第１分岐配線８１ａおよび第２分岐配線８２ａは、本体部２２の内周側に配置される。したがって、光源配置部３２を本体部２２の外周側に寄せて配置し、環状に配置された複数の光源の直径を大きくすることができる。その結果、光源３１の照射面積を大きくすることができる。
【００５２】
また、第１分岐配線８１ａおよび第２分岐配線８２ａは、本体部２２の内周側に配置されることによって、アノード配線部８４ａおよびカソード配線部８４ｂの面積を大きくすることができる。したがって、プリント基板２１の放熱性を向上させることができる。一般的にＬＥＤはアノード側よりもカソード側が高温になりアノード配線部よりもカソード配線部の方が発熱しやすいため、カソード配線部を広くする方が効果的に発熱を抑制することができる。
【００５３】
また、コネクタ配置部４２は、光源領域Ｓのうち最端部の光源配置部３２ａおよび３２ｎよりも周方向内側の領域に隣接して配置される。したがって、アノード配線部８４ａおよびカソード配線部８４ｂの面積を大きくすることができる。その結果、プリント基板２１の放熱性を向上させることができる。一般的にＬＥＤはアノード側よりもカソード側が高温になりアノード配線部よりもカソード配線部の方が発熱しやすいため、カソード配線部を広くする方が効果的に発熱を抑制することができる。
【００５４】
また、複数の部分配線部８３の面積のバラツキは少ないことが好ましい。複数の部分配線部８３の面積のバラツキを少なくすることによって、放熱性を均一にすることができ、光源配置部３２に印加される電力のバラツキを抑制することができる。その結果、各光源３１の発光効率を略均一にすることができ、光源３１から照射される光量のバラツキを抑制し、発光ムラを抑制することができる。また、複数の部分配線部８３の放熱性を均一にすることで、光源３１の劣化速度のバラツキを抑制でき、放熱特性が不十分な光源が他の光源よりも早期に劣化して早期に不点灯状態に陥ることを抑制できる。
【００５５】
以上、図面（図１〜図５）を参照しながら本発明の実施形態を説明した。但し、本発明は、上記の実施形態に限られるものではなく、その要旨を逸脱しない範囲で種々の態様において実施することが可能である（例えば、下記に示す（１）〜（７））。図面は、理解しやすくするために、それぞれの構成要素を主体に模式的に示しており、図示された各構成要素の厚み、長さ、個数等は、図面作成の都合上から実際とは異なる。また、上記の実施形態で示す各構成要素の材質や形状、寸法等は一例であって、特に限定されるものではなく、本発明の効果から実質的に逸脱しない範囲で種々の変更が可能である。
【００５６】
（１）図１および図２を参照して説明したように、本実施形態では、照明器具１００の形状は円盤状であったが、照明器具１００の形状は円盤状に限定されない。照明器具１００の形状は、例えば、円環状（リング状）または多角形（例えば四角形）であってもよい。
【００５７】
（２）図４および図５を参照して説明したように、本実施形態では、光源領域Ｓが円弧状であったが、光源領域Ｓは円弧状に限定されない。例えば、光源領域Ｓは直線状の領域を含んでもよい。図６は、本発明の他の実施形態に係るプリント基板２１を示す模式図である。光源領域Ｓは、光源領域Ｓの端部に位置する端部領域Ｓｂおよび端部領域Ｓｃと、端部領域Ｓｂおよび端部領域Ｓｃに接続される接続領域Ｓａとを有する。端部領域Ｓｂおよび端部領域Ｓｃは円弧状である。接続領域Ｓａは直線状である。コネクタ配置部４２は、光源領域Ｓの外側境界線ｓ２よりも外側であって長手方向Ｄの端部に配置される。したがって、コネクタ配置部４２に配置されたコネクタ４１に接続されるケーブルによる影の発生を抑制することができる。
【００５８】
（３）図４および図５を参照して説明したように、本実施形態では、光源領域Ｓは円弧状であったが、光源領域Ｓは円弧状に限定されない。例えば、図７に示すように光源領域Ｓは直線状であってもよい。図７は、他の実施形態に係る光源モジュール２０を示す模式図である。コネクタ配置部４２ａおよび４２ｂは、光源領域Ｓの延長線に重ならないように配置される。したがって、隣接するプリント基板２１間の距離を小さくすることができ、光源３１の間隔を等間隔にすることができる。
【００５９】
（４）図６を参照して説明した実施形態では、端部領域Ｓｂおよび端部領域Ｓｃは、円弧状であったが、端部領域Ｓｂおよび端部領域Ｓｃは円弧状に限定されない。例えば、端部領域Ｓｂおよび端部領域Ｓｃは直線状であってもよい。図８は、本発明の他の実施形態に係るプリント基板２１を示す模式図である。光源領域Ｓは、光源領域Ｓの端部に位置する端部領域Ｓｂおよび端部領域Ｓｃと、端部領域Ｓｂおよび端部領域Ｓｃに接続される接続領域Ｓａとを有する。端部領域Ｓｂ、端部領域Ｓｃおよび接続領域Ｓａは直線状である。端部領域Ｓｂおよび端部領域Ｓｃの延長線は同一直線上にある。接続領域Ｓａの延長線は、端部領域Ｓｂおよび端部領域Ｓｃと重ならない。コネクタ配置部４２ａおよびコネクタ配置部４２ｂは、光源領域Ｓよりも外側であって、長手方向Ｄの端部近傍に配置される。したがって、コネクタ配置部４２に配置されたコネクタ４１に接続されるケーブルによる影の発生を抑制することができる。
【００６０】
（５）図２を参照して説明したように、本実施形態では、照明器具１００は、６枚の光源モジュール２０によって構成されていたが、光源モジュール２０の数は６枚に限定されない。光源モジュール２０は、５枚以下７枚以上であってもよい。さらに光源モジュール２０は、１枚の環状または直線状であってもよい。
【００６１】
（６）図４および図５を参照して説明したように、本実施形態では、光源配置部３２は一列に配置されていたが、光源配置部３２は複数列配列されてもよい。例えば、光源配置部３２は、同心円状に３列配列されてもよい。この場合も本実施形態と同様、コネクタ配置部４２は外側境界線ｓ２よりも外側であって長手方向Ｄの端部近傍に配置される。すなわち、コネクタ配置部４２は最外周の光源配置部３２よりも外側に配置される。したがって、コネクタ配置部４２に配置されたコネクタ４１に接続されるケーブルによる影の発生を抑制することができる。
【００６２】
（７）図２〜図７を参照して例示して説明した光源配置部３２の配列およびプリント基板２１の形状の形態を種々組み合わせ可能である。例えば、図４で示した光源配置部３２が円弧状に配列される形態に、図７で示したプリント基板２１の形状が直線状である形態を組み合わせることができる。
【符号の説明】
【００６３】
１０      器具本体
２０、２０ａ、２０ｂ、２０ｃ、２０ｄ、２０ｅ、２０ｆ  光源モジュール
２１      プリント基板
２２      本体部
３１      光源
３２      光源配置部
３２Ｇ１  第１光源配置部群
３２Ｇ２  第２光源配置部群
３２ａ、３２ｂ、３２ｃ、３２ｄ、３２ｅ、３２ｆ、３２ｇ、３２ｈ、３２ｉ、３２ｊ、３２ｋ、３２ｌ、３２ｍ、３２ｎ    光源配置部
３３      入力端子部
３３ｄ    入力端子部
３４      出力端子部
３４ｃ    出力端子部
４１      コネクタ
４２      コネクタ配置部
４２ａ    第１コネクタ配置部
４２ｂ    第２コネクタ配置部
５２、５２ａ、５２ｂ、５２ｃ、５２ｄ、５２ｅ      ジャンパー
７１、７１ａ、７１ｂ      切欠部
７２ａ、７２ｂ    凸部
７３ａ、７３ｂ    凹部
８０      配線部
８１ａ    第１分岐配線
８２ａ    第２分岐配線
８３、８３ａ、８３ｂ、８３ｃ、８３ｋ、８３ｌ、８３ｍ    部分配線部
８４ａ    アノード配線部
８４ｂ    カソード配線部
９３      電源ユニット
９４      電源ケーブル
９６      コネクタケーブル
１００    照明器具
Ｓ        光源領域
Ｓａ      接続領域
Ｓｂ、Ｓｃ  端部領域
ｓ１      内側境界線
ｓ２      外側境界線
ｓ３、ｓ４  側部境界線
Ｄ        長手方向
Ｌ        光源配置部配列線
【図１】
0006386332.tif 000002
【図２】
0006386332.tif 000003
【図３】
0006386332.tif 000004
【図４】
0006386332.tif 000005
【図５】
0006386332.tif 000006
【図６】
0006386332.tif 000007
【図７】
0006386332.tif 000008
【図８】
0006386332.tif 000009